(57)【要約】【課題】電子シャッタとメカシャッタとの何れかを適切に選択して露光時間を制御する撮像装置を提供する。【解決手段】撮像装置は、入射された光束を受光する撮像素子と、撮像素子への入射光路を機械的に遮断及び開放可能なメカシャッタと、撮像素子へ入射される光束に応じた被写体を撮像する際の露光時間の制御を、被写体の動きに基づいて、撮像素子の電子シャッタにより露光時間を制御する第１の制御、及びメカシャッタにより露光時間を制御する第２の制御のうちの何れの制御とするかを選択する選択部と、を備える。【選択図】図１
2013179488.tif 000002
【特許請求の範囲】
【請求項１】
入射された光束を受光する撮像素子と、
前記撮像素子への入射光路を機械的に遮断及び開放可能なメカシャッタと、
前記撮像素子へ入射される光束に応じた被写体を撮像する際の露光時間の制御を、前記被写体の動きに基づいて、前記撮像素子の電子シャッタにより露光時間を制御する第１の制御、及び前記メカシャッタにより露光時間を制御する第２の制御のうちの何れの制御とするかを選択する選択部と、
を備えることを特徴とする撮像装置。
【請求項２】
前記選択部は、
前記被写体が停止しているか否かに基づいて、前記被写体を撮像する際の露光時間の制御を、前記第１の制御及び前記第２の制御のうちの何れの制御とするかを選択する
ことを特徴とする請求項１に記載の撮像装置。
【請求項３】
前記選択部は、
前記被写体の動きが停止している場合、前記第１の制御を選択し、
前記被写体の動きが停止していない場合、前記第２の制御を選択する
ことを特徴とする請求項１又は２に記載の撮像装置。
【請求項４】
前記撮像素子を介して撮像された時系列に連続するフレーム画像それぞれから、前記被写体の画像に含まれる特徴点を抽出するとともに、抽出した前記特徴点のフレーム間の変位に基づいて前記被写体の動きを検出する動き検出部、
を備え、
前記選択部は、
前記被写体を撮像する際の露光開始前に前記動き検出部が検出した前記被写体の動きに基づいて、前記第１の制御及び前記第２の制御のうちの何れの制御とするかを選択する
ことを特徴とする請求項１から３の何れか一項に記載の撮像装置。
【請求項５】
前記動き検出部は、
前記特徴点の単位時間あたりの変位量の大きさが第１の閾値以下の場合、前記被写体の動きが停止していると判定し、前記特徴点の単位時間あたりの変位量の大きさが前記第１の閾値より大きい場合、前記被写体の動きが停止していないと判定する
ことを特徴とする請求項４に記載の撮像装置。
【請求項６】
前記撮像素子を介して撮像された画像から、前記被写体の画像を検出する被写体検出部、
を備えることを特徴とする請求項１から５の何れか一項に記載の撮像装置。
【請求項７】
前記選択部は、
前記被写体を撮像する際の露光時間の長さに基づいて、前記第１の制御及び前記第２の制御のうちの何れの制御とするかを選択する
ことを特徴とする請求項１から６の何れか一項に記載の撮像装置。
【請求項８】
前記選択部は、
前記被写体の動きが停止していない場合であっても、前記被写体を撮像する際の露光時間の長さが第２の閾値より長い場合、前記第１の制御を選択する
ことを特徴とする請求項１から７の何れか一項に記載の撮像装置。
【請求項９】
電力を給電する電池部、
を備え、
前記選択部は、
前記電池部の残容量に基づいて、前記第１の制御及び前記第２の制御のうちの何れの制御とするかを選択する
ことを特徴とする請求項１から８の何れか一項に記載の撮像装置。
【請求項１０】
前記選択部は、
前記被写体の動きが停止していない場合であっても、前記電池部の残容量が第３の閾値より少ない場合、前記第１の制御を選択する
ことを特徴とする請求項９に記載の撮像装置。
【請求項１１】
入射された光束を受光する撮像素子と、前記撮像素子への入射光路を機械的に遮断及び開放可能なメカシャッタと、を有する撮像装置が備えるコンピュータに、
前記撮像素子へ入射される光束に応じて被写体を撮像する際の露光時間の制御を、前記被写体の動きに基づいて、前記撮像素子の電子シャッタにより露光時間を制御する第１の制御、及び前記メカシャッタにより露光時間を制御する第２の制御のうちの何れの制御とするかを選択する選択ステップ、
を実行させるためのプログラム。
【発明の詳細な説明】
【技術分野】
【０００１】
本発明は、撮像装置、及びプログラムに関する。
【背景技術】
【０００２】
撮像素子の電荷蓄積時間を制御する電子シャッタと、撮像素子への入射光路を機械的に遮断及び開放するメカシャッタとを備えている撮像装置がある。（例えば、特許文献１参照）。
【先行技術文献】
【特許文献】
【０００３】
【特許文献１】特開２００６−３４５３１７号公報
【発明の概要】
【発明が解決しようとする課題】
【０００４】
ところで、例えばＣＭＯＳ（Complementary Metal Oxide Semiconductor）センサのような撮像素子の電子シャッタは、一般的に、ライン毎の電荷蓄積時間を垂直方向に順次シフトするローリングシャッタ方式が用いられている。このローリングシャッタ方式の電子シャッタにより露光時間を制御した場合、メカシャッタを駆動する必要がないため消費電力を抑制できるという利点がある反面、動きの速い被写体を撮影した際の画像に歪みが発生することがあるという問題があった。一方、メカシャッタにより露光時間を制御した場合には、上述の画像の歪みの発生は抑制できるという利点がある反面、メカシャッタを駆動するための電力が必要であるため消費電力が大きくなるという問題があった。
【０００５】
本発明は、このような事情に鑑みてなされたもので、その目的は、電子シャッタとメカシャッタとの何れかを適切に選択して露光時間を制御する撮像装置、及びプログラムを提供することにある。
【課題を解決するための手段】
【０００６】
この発明は上述した課題を解決するためになされたもので、本発明は、入射された光束を受光する撮像素子と、前記撮像素子への入射光路を機械的に遮断及び開放可能なメカシャッタと、前記撮像素子へ入射される光束に応じた被写体を撮像する際の露光時間の制御を、前記被写体の動きに基づいて、前記撮像素子の電子シャッタにより露光時間を制御する第１の制御、及び前記メカシャッタにより露光時間を制御する第２の制御のうちの何れの制御とするかを選択する選択部と、を備えることを特徴とする撮像装置である。
【０００７】
また、本発明は、入射された光束を受光する撮像素子と、前記撮像素子への入射光路を機械的に遮断及び開放可能なメカシャッタと、を有する撮像装置が備えるコンピュータに、前記撮像素子へ入射される光束に応じて被写体を撮像する際の露光時間の制御を、前記被写体の動きに基づいて、前記撮像素子の電子シャッタにより露光時間を制御する第１の制御、及び前記メカシャッタにより露光時間を制御する第２の制御のうちの何れの制御とするかを選択する選択ステップ、を実行させるためのプログラムである。
【発明の効果】
【０００８】
この発明によれば、電子シャッタとメカシャッタとの何れかを適切に選択して露光時間を制御することができる。
【図面の簡単な説明】
【０００９】
【図１】この発明の一実施形態による撮像装置の構成を示す概略ブロック図である。
【図２】処理部の構成の一例を示す概略ブロック図である。
【図３】撮像素子の概略構成及び電子シャッタの動作を説明する図である。
【図４】電子シャッタモードによる露光動作の概要を説明する図である。
【図５】電子シャッタモードによる露光動作で取得された画像の一例を説明する図である。
【図６】メカシャッタモードによる露光動作の概要を説明する図である。
【図７】第１実施形態によるシャッタモード選択処理の一例を示すフローチャートである。
【図８】第２実施形態によるシャッタモード選択処理の一例を示すフローチャートである。
【図９】第３実施形態によるシャッタモード選択処理の一例を示すフローチャートである。
【図１０】第３実施形態によるシャッタモード選択処理の別の一例を示すフローチャートである。
【発明を実施するための形態】
【００１０】
以下、図面を参照して、本発明の実施の形態について説明する。
＜第１実施形態＞
（撮像装置の構成）
図１は、この発明の一実施形態による撮像装置３００の構成を示す概略ブロック図である。ここで、撮像装置３００は、カメラボディ１００と、交換レンズ２００とを備えたレンズ交換式の撮像装置である。
【００１１】
交換レンズ２００は、レンズ部２０１と、絞りユニット２０２とを備えている。レンズ部２０１は、例えば、ズーム用レンズ、フォーカス調整用レンズ、防振用レンズ、等複数のレンズから構成されている。絞りユニット２０２は、例えば、複数の絞り羽根を有する絞り機構と、この絞り機構を駆動する駆動部とを含んで構成されており、絞り開口径を変更可能である。この絞り機構の開口径を制御することにより、絞りユニット２０２は、レンズ部２０１を介して入射された光束（被写体光）の光量を制御して、カメラボディ１００に対して入射する。
【００１２】
カメラボディ１００は、メカシャッタ１０１と、シャッタ駆動部１０２と、撮像素子１０３と、レンズ制御部１０４と、撮影制御部１０５と、メモリ部１０６と、電池部１０７と、表示部１０８と、を備えている。
【００１３】
メカシャッタ１０１は、交換レンズ２００を介して入射された光束の撮像素子１０３への入射光路を機械的に遮断及び開放可能なシャッタ機構を有している。例えば、メカシャッタ１０１は、シャッタ幕を含むシャッタ機構を有しており、シャッタ駆動部１０２の駆動によりシャッタ幕の開閉が駆動されることにより、撮像素子１０３への入射光路を機械的に遮断又は開放する。すなわち、メカシャッタ１０１は、撮像素子１０３の撮像面（受光面）の露光時間を調整する機械式のシャッタである。
【００１４】
例えば、上述のシャッタ幕は、入射された光束の光軸１０に直交する面内においてスライドして移動する薄板状の部材により形成されている。そして、メカシャッタ１０１は、シャッタ駆動部１０２の駆動により、シャッタ幕をスライド移動することにより、撮像素子１０３への入射光路を機械的に遮断（シャッタを閉じる）又は開放（シャッタを開く）する。
【００１５】
なお、このメカシャッタ１０１は、静止画撮影における露光の開始時及び終了時のそれぞれのタイミングでのみ入射光路を機械的に遮断する（シャッタを閉じる）ノーマリーオープンのシャッタである。すなわち、静止画撮影処理が実行される前の撮影スタンバイ時にはシャッタが開いており、撮像素子１０３に対して交換レンズ２００を介して被写体光が入射される。
【００１６】
シャッタ駆動部１０２は、メカシャッタ１０１のシャッタ機構（シャッタ幕）を駆動する。例えば、シャッタ駆動部１０２は、シャッタ幕をスライド移動させるための電磁石モータを有している。そして、シャッタ駆動部１０２は、撮影制御部１０５の制御により、メカシャッタ１０１のシャッタ機構（シャッタ幕）を駆動することによって、撮像素子１０３への入射光路を機械的に遮断又は開放させる。
【００１７】
撮像素子１０３は、交換レンズ２００を介して入射された光束を受光するとともに、受光した光束（被写体光）をアナログの画像信号に光電変換して処理部１１０に対して供給する。また、撮像素子１０３は、撮影制御部１０５の制御により駆動される。
【００１８】
レンズ制御部１０４は、撮影制御部１０５の制御により、レンズ部２０１及び絞りユニット２０２を制御する。例えば、レンズ制御部１０４は、レンズ部２０１が備えているズーム用レンズ、フォーカス調整用レンズ、防振用レンズ、等を駆動する駆動部を制御するための制御信号を送信するとともに、交換レンズ２００のレンズ情報や各レンズの制御状態を示す情報を受信する。また、レンズ制御部１０４は、絞りユニット２０２の絞り機構（絞り羽根）を駆動する駆動部を制御するための制御信号を送信するとともに、絞りの開口径を示す情報（絞り値）を受信する。
【００１９】
撮影制御部１０５は、撮像素子１０３の駆動、シャッタ駆動部１０２の駆動を制御する。また、撮影制御部１０５は、交換レンズ２００が備えているレンズ部２０１及び絞りユニット２０２の駆動を、レンズ制御部１０４を介して制御する。
【００２０】
例えば、撮影制御部１０５は、処理部１１０から受けた撮影実行指令及び撮影条件に応じて、撮像素子１０３、シャッタ駆動部１０２、レンズ部２０１、及び絞りユニット２０２の各部の駆動を制御することにより、撮影画像を取得する撮影処理を実行させる。また、撮影制御部１０５は、処理部１１０から受けた制御指令に応じて、上述した各部の駆動を制御することにより、スルー画像を取得する制御、フォーカス調整制御、処理部１１０において撮影条件を設定するための測光制御、等を実行させる。
【００２１】
ここで、スルー画像とは、撮像素子１０３に受光された光束に基づいて連続的に取得される記録を行わない画像（リアルタイムに更新されるライブビュー画像）であって、例えば、撮影処理における露光開始前に、画角確認用として表示部１０８に表示される画像、又はフォーカス調整や測光制御に用いられる画像である。
【００２２】
メモリ部１０６は、記憶媒体（カードメモリ等）を着脱可能なカードコネクタを備えており、装着された記憶媒体への画像又は情報の書込み（記録）、読み出し、或いは消去を行う。なお、メモリ部１０６は、撮像装置３００の内部に搭載されたメモリＩＣ（Integrated Circuit）を備えた構成としてもよい。
【００２３】
電池部１０７は、例えばリチウムイオン２次電池又はニッケル水素２次電池等の電池を収納可能なように構成されており、収納された電池から、電池部１０７に設けられた電池端子を介して撮像装置３００が備えている各部の動作に必要な電力を給電する。なお、電池部１０７に収納可能な電池は、アルカリ電池等の１次電池であってもよい。
【００２４】
表示部１０８は、例えば、液晶ディスプレイ、有機ＥＬ（Electro Luminescence）ディスプレイ等であって、処理部１１０から供給された画像又は情報を表示する。
【００２５】
（処理部の構成）
処理部１１０は、撮像装置３００における撮影処理、表示処理、記録処理等を実行する。続いて、図２を参照して、処理部１１０の構成について詳しく説明する。図２は処理部１１０の構成の一例を示す概略ブロック図である。
【００２６】
処理部１１０は、Ａ／Ｄ変換部１１１と、被写体検出部１１２と、動き検出部１１３と、シャッタモード選択部１１４（選択部）と、撮影条件設定部１１５と、画像処理部１１６と、表示制御部１１７と、電池残量検出部１１８と、を備えている。
【００２７】
Ａ／Ｄ変換部１１１は、撮像素子１０３から供給されたアナログの画像信号を、デジタルの画像信号に変換する。また、Ａ／Ｄ変換部１１１は、変換したデジタルの画像信号を、被写体検出部１１２、撮影条件設定部１１５、又は画像処理部１１６に供給する。なお、Ａ／Ｄ変換部１１１は、撮像素子１０３に含まれている構成としてもよい。
【００２８】
被写体検出部１１２は、Ａ／Ｄ変換部１１１から供給された画像信号から、被写体の画像を検出する。すなわち、被写体検出部１１２は、撮像素子１０３を介して撮影（撮像）された画像から、被写体の画像を検出する。
【００２９】
例えば、被写体検出部１１２は、Ａ／Ｄ変換部１１１から供給された画像信号から、主要な被写体（主要被写体）としての人物の特徴を示す特徴情報（例えば、顔の特徴情報）、又は、乗り物（自動車、電車、航空機等）の特徴を示す特徴情報等に基づいて、主要被写体の画像を検出する。なお、被写体検出部１１２は、スルー画像から、主要被写体の画像を検出する。
【００３０】
ここで、上述の特徴とは、検出する主要被写体の特徴となる特定の色、特定の形状、又は特定の位置関係にある特定の部分の画像等である。例えば、被写体検出部１１２は、これらの画像から検出した特徴を示す情報を、主要被写体の特徴情報が登録されているデータベース（例えば、顔データベース、乗り物データベース等）とパターンマッチングすることにより、主要被写体を検出する。
【００３１】
動き検出部１１３は、撮像素子１０３を介して撮影されたスルー画像（時系列に連続するフレーム画像）のうちのそれぞれのフレーム画像から、被写体検出部１１２により検出された被写体の画像に含まれる特徴点を抽出する。そして、動き検出部１１３は、抽出した特徴点のフレーム間の変位に基づいて、被写体の動きベクトル（動き）を検出する。
【００３２】
例えば、動き検出部１１３は、フレーム画像領域に対する主要被写体に含まれる特徴点（抽出した特徴点）のフレーム間の位置の変位（変位量、変位方向）に基づいて、フレーム画像領域に対する主要被写体の画像の動きベクトルを検出する。
【００３３】
また、動き検出部１１３は、検出した主要被写体の動きベクトルの大きさに基づいて、その主要被写体が停止しているか否かを判定する。例えば、動き検出部１１３は、主要被写体の画像に含まれる特徴点の単位時間あたりの変位量の大きさ（すなわち、単位フレーム間あたりの動きベクトルの大きさ、動きの速度）が第１の閾値以下の場合、主要被写体の動きが停止している（動きがない）と判定する。一方、動き検出部１１３は、主要被写体の画像に含まれる特徴点の単位時間あたりの変位量の大きさが第１の閾値より大きい場合、主要被写体の動きが停止していない（動きがある）と判定する。
【００３４】
ここで、第１の閾値とは、主要被写体の動きの速度が、撮影画像において主要被写体の画像に歪みが生じる（目立つ）速度であるか否かを判定するために、予め設定された閾値である。なお、この画像の歪みについては、後述する。
【００３５】
なお、動き検出部１１３は、検出した主要被写体の動きベクトルの方向と大きさとに基づいて、その主要被写体が所定の方向に対して停止しているか否か（動いているか否か）を判定してもよい。例えば、動き検出部１１３は、スルー画像の画像領域に対して水平方向（撮像素子の読み出しライン方向（水平ライン方向））の動きベクトルの大きさに基づいて、その主要被写体が水平方向（横方向）に停止しているか否かを判定してもよい。また、動き検出部１１３は、スルー画像の画像領域に対して垂直方向の動きベクトルの大きさに基づいて、その主要被写体が垂直方向（縦方向）に停止しているか否かを判定してもよい。
【００３６】
なお、動き検出部１１３は、スルー画像の時系列に連続するフレーム画像のそれぞれ全てから主要被写体を検出してもよいが、所定のフレーム間隔毎のフレーム画像から検出してもよい。このように、動き検出部１１３は、例えば、ある時点のフレーム画像において検出された主要被写体の画像の位置（フレーム画像の画像領域に対する位置）が、その次のフレーム画像（又はその後のフレーム画像）において、前の位置とは異なる位置（ずれた位置）に検出された場合に、主要被写体が動いている（停止していない）と判定する。
【００３７】
シャッタモード選択部１１４は、撮像素子１０３へ入射される光束に応じた被写体を撮像する際の露光時間の制御を、被写体の動きに基づいて、撮像素子１０３の電子シャッタにより露光時間を制御する第１の制御、及びメカシャッタ１０１により露光時間を制御する第２の制御のうちの何れの制御とするかを選択する。
【００３８】
なお、以下の説明において、撮像装置３００が、撮像素子１０３の電子シャッタにより露光時間を制御する第１の制御を用いて撮影動作を実行する動作モードを、電子シャッタモードと称する。また、撮像装置３００が、メカシャッタ１０１により露光時間を制御する第２の制御を用いて撮影動作を実行する動作モードを、メカシャッタモードと称する。
【００３９】
すなわち、シャッタモード選択部１１４は、撮影する主要被写体の動きに基づいて、電子シャッタモード及びメカシャッタモードの何れかを選択する。例えばシャッタモード選択部１１４は、撮影する主要被写体が動いているか否かに基づいて、電子シャッタモード及びメカシャッタモードの何れかを選択する。
【００４０】
具体的には、動き検出部１１３が、検出した主要被写体の動きベクトルに基づいて主要被写体の動きが停止していると判定した場合、シャッタモード選択部１１４は、電子シャッタモードを選択する。一方、動き検出部１１３が、検出した主要被写体の動きベクトルに基づいて主要被写体の動きが停止していないと判定した場合、メカシャッタモードを選択する。また、シャッタモード選択部１１４は、選択したシャッタモードを示す選択信号を、撮影制御部１０５に供給する。
【００４１】
なお、撮像装置３００には、例えば、シャッタモードの選択が可能な操作入力部（不図示、例えば、表示部１０８に表示される選択メニュー画面による操作入力手段であってもよい）が設けられていてもよい。そして、撮像装置３００は、「電子シャッタモードを選択」、「メカシャッタモードを選択」、又は、「電子シャッタモード及びメカシャッタモードの何れかを自動選択」、の３種類シャッタモードからユーザが選択可能なように構成されていてもよい。この場合、「電子シャッタモード及びメカシャッタモードの何れかを自動選択」が選択された際に、シャッタモード選択部１１４は、主要被写体の動きに基づいて、電子シャッタモード及びメカシャッタモードの何れかを選択する処理を実行する。この電子シャッタモード及びメカシャッタモードの何れかを選択するシャッタモード選択処理について、詳しくは後述する。
【００４２】
撮影条件設定部１１５は、撮影制御部１０５が撮影処理を実行する際の撮影条件を設定する。この撮影条件とは、例えば、シャッタ速度（露光時間）、絞り値、感度、等の設定条件である。具体的には、撮影条件設定部１１５は、Ａ／Ｄ変換部１１１から供給された画像信号（スルー画像の画像信号）を用いて測光処理を実行して、適切な露光量が得られるようなシャッタ速度（露光時間）、絞り値、又は感度等の撮影条件を決定する。また、撮影条件設定部１１５は、決定した撮影条件を設定するための設定信号を、撮影制御部１０５に供給する。なお、撮影条件設定部１１５は、決定した撮影条件を設定するための設定信号を、シャッタモード選択部１１４にも供給してもよい。
【００４３】
画像処理部１１６は、撮像素子１０３を介して撮影した画像に対して画像処理を実行する。例えば、画像処理部１１６は、Ａ／Ｄ変換部１１１から供給された静止画の画像信号に対して、ホワイトバランス調整、シャープネス調整、ガンマ補正、階調調整などの画質処理を実行するとともに、ＪＰＥＧ（Joint Photographic Experts Group）などの画像圧縮処理を実行する。そして、画像処理部１１６は、画質処理及び画像圧縮処理をじっこうして生成した画像データをメモリ部１０６に供給して記憶させる。
【００４４】
また、画像処理部１１６は、Ａ／Ｄ変換部１１１から供給された静止画の画像信号、スルー画の画像信号に対して、表示用の画質処理を実行するとともに、表示用の画像信号に変換して表示制御部１１７に供給する。
【００４５】
表示制御部１１７は、画像処理部１１６から受け取った画像信号を、表示部１０８に表示させるためのフォーマットに従った表示信号に変換して、表示部１０８に画像を表示させる。なお、表示制御部１１７は、画像の他に、操作入力用の設定メニューや撮影条件を示す情報を表示部１０８に表示させてもよい。例えば、表示制御部１１７は、撮影条件設定部１１５が出力する設定信号に基づいて、撮影条件を示す情報を表示部１０８に表示させてもよい。
【００４６】
電池残量検出部１１８は、電池部１０７に収納されている電池の残容量を検出する。例えば、電池残量検出部１１８は、電池部１０７の電池電圧を検出することにより、電池の残容量を検出する。また、電池残量検出部１１８は、検出結果をシャッタモード選択部１１４に供給する。
【００４７】
（シャッタモード選択処理の説明）
次に、撮像装置３００におけるシャッタモード選択処理について説明する。
まず、撮像素子１０３の電子シャッタによる露光時間の制御と、メカシャッタ１０１による露光時間の制御とのそれぞれの制御の概要について、図３〜図６を参照して説明する。
【００４８】
初めに、図３、４、５を参照して、電子シャッタによる露光時間の制御について説明する。図３は、撮像素子１０３の概略構成及び電子シャッタの動作を説明する図である。
撮像素子１０３はＣＭＯＳセンサを含んで構成されている。この図に示す撮像素子１０３の撮像面の画素領域２０（撮像素子１０３の全画素領域）には、複数の画素が２次元的に配列されている。
【００４９】
また、撮像素子１０３は、水平走査部３０と垂直走査部４０とを備えており、これら水平走査部３０及び垂直走査部４０の駆動により画素領域２０の各画素に受光された光に応じて蓄積された電荷を出力する。
【００５０】
垂直走査部４０は、画素領域２０のうちの読み出し画素ライン（水平方向の画素ライン、画素行）を垂直方向へ順次選択するシフトレジスタ等を含む読み出し用の垂直走査回路と、各画素の蓄積開始（シャッタ）のための画素ラインを垂直方向へ順次選択するシフトレジスタ等を含むシャッタ用の垂直走査回路と、を有している。
【００５１】
符号４２に示す垂直方向へ順次シフトするパルスの蓄積開始（シャッタ）タイミングで選択された露光開始ライン２１の各画素において、露光が開始される。また、符号４１に示す垂直方向へ順次シフトするパルスの読み出しタイミングで選択された読み出しライン２２の各画素において、蓄積された電荷が読み出される。撮像素子１０３は、これらシャッタ用の垂直走査回路と読み出し用の垂直走査回路とにより、電子シャッタ動作を行う。
【００５２】
例えば、画素領域２０内の各画素は、画素ライン毎に、蓄積開始（シャッタ）タイミング（符号４２）により、露光が開始される画素ライン（露光開始ライン２１）が選択される。また、画素領域２０内の各画素は、画素ライン毎に、読み出しタイミング（符号４１）により、蓄積された電荷が読み出される画素ライン（読み出しライン２２）が選択される。すなわち、電子シャッタによる画素ライン毎の露光時間（蓄積時間）は、露光開始ライン２１から読み出しライン２２までの時間（符合２３が示す時間に相当）である。
【００５３】
垂直走査部４０は、この電子シャッタによる露光開始ライン２１及び読み出しライン２２を垂直方向へ順次シフトさせる。そして、露光開始ライン２１及び読み出しライン２２が最初の画素ラインから最後の画素ラインまでシフト（走査）されることにより、画素領域２０内の全ての画素への露光（すなわち、１画面分の露光）が完了する。
【００５４】
また、水平走査部３０は、垂直走査部４０の制御により垂直方向へ順次選択されて露光された画素ラインの各画素の電荷を、水平方向に順次走査してアナログの画素信号として出力する。なお、水平走査部３０が水平方向に順次走査して出力する各画素の電荷は、例えば、不図示であるが、蓄積された電荷を画素毎に増幅する増幅器、及び、この画素毎の増幅器の出力ばらつきを除去するためのＣＤＳ（相関２重サンプリング）回路、等を介して一時的にバッファに保管された電荷である。
【００５５】
図４は、電子シャッタモードによる露光動作の概要を説明する図である。図３を用いて説明したように撮像素子１０３の電子シャッタ動作によれば、画素ライン毎の露光が最初の画素ラインから最後の画素ラインまで順次シフトする（ローリングシャッタ方式）。そのため、最初の画素ラインの露光タイミングから最後の画素ラインの露光タイミングまでが徐々にずれてくる。
【００５６】
図４（ａ）は画素領域２０を示し、図４（ｂ）は、縦軸を画素領域２０の垂直方向の位置、横軸を時間ｔ（露光タイミング）として、画素領域２０内の画素ライン毎の露光タイミングを示している。図４（ａ）に示す領域５１の露光タイミングは、図４（ｂ）に示す蓄積開始（シャッタ）タイミング５２と読み出しタイミング５３とに示すように、最初の画素ラインから最後の画素ラインまで順次遅れていく。
【００５７】
例えば、図４（ａ）に示す画素領域２０内の最初の方の所定の画素ラインにおける画素領域６１と、画素領域６１と水平方向の位置が同じであって且つ最後の方の所定の画素ラインにおける画素領域６２と、のそれぞれの露光タイミングには、ずれが生じる。図４（ｂ）に示すように、画素領域６２に被写体光が露光されるタイミングは、画素領域６１に被写体光が露光されるタイミングに対して遅延する。
【００５８】
このように、垂直方向への画素ライン毎の露光タイミングが順次遅れていくことにより、例えば、速く動いている被写体を撮影した場合に各画素ラインの露光タイミングにおける被写体の位置が変わるため、その被写体の撮影画像に歪みが生じる場合がある。
【００５９】
図５は、電子シャッタモードによる露光動作で撮影された画像の一例を説明する図である。図５（ａ）は、人物を主要被写体として撮影する場合に画素領域２０に受光される被写体の動きを示している。この図では、主要被写体である人物が横方向（水平方向、水平走査方向と同じ方向）速い速度で移動しており、その人物の被写体光を受光する位置が符号７１に示す位置から符号７２に示す位置に速い速度で移動している状態を示している。
【００６０】
ここで、図５（ａ）に示す画素領域６１は、主要被写体である人物が符号７１に示す位置にいるときの人物の頭上の位置から入射される光束が受光される領域である。また、画素領域６２ａは、主要被写体である人物が符号７１に示す位置にいるときの人物の足元の位置から入射される光束が受光される領域である。また、画素領域６２ｂは、主要被写体である人物が符号７２に示す位置にいるときの人物の足元の位置から入射される光束が受光される領域である。
【００６１】
そして、電子シャッタモードにより、主要被写体である人物が符号７１に示す位置から符号７２に示す位置に速い速度で移動している時間を含む露光時間で撮影したとする。この撮影の露光により、例えば、図５（ｂ）に示す画素領域６１には、図５（ａ）の画素領域６１に受光される光束が露光（蓄積）される。しかし、垂直方向に露光タイミングが順次遅れていくことにより、図５（ｂ）に示す画素領域６２には、図５（ａ）の画素領域６２ａに受光される光束ではなく、図５（ａ）の画素領域６２ｂに受光される光束が露光（蓄積）される場合がある。
【００６２】
この場合、垂直方向に露光タイミングが順次遅れていくことに従って、主要被写体である人物の位置が移動していくため、図５（ｂ）に示すように画素領域６１と画素領域６２とを結ぶ斜め方向に順次シフトした画素領域の各画素に対して人物の被写体光が露光される。これにより、主要被写体である人物の画像が上下方向で徐々に斜めにずれた歪んだ画像として撮影されることになる。
【００６３】
なお、図５を用いて、主要被写体が横方向（水平方向、撮像素子１０３における水平走査方向、画素ライン方向）に動いた場合の画像の歪みについて説明したが、主要被写体が縦方向（又は斜め方向）に動いた場合にも撮影した画像に影響が生じる場合がある。例えば、主要被写体が縦方向（垂直方向、撮像素子１０３における垂直走査方向）に動いた場合、その主要被写体の縦方向の長さが短くなる場合がある。
【００６４】
但し、主要被写体の縦方向の長さが短くなる場合は、上述した画像に歪みが生じる場合に比較して、目立たないことが多い。なお、主要被写体が斜め方向に動いた場合には、その主要被写体の動きベクトルの横方向（水平方向）の大きさと、縦方向（垂直方向）の大きさとに応じて画像に対する影響（画像の歪みや垂直方向の長さの変化）が生じる。
【００６５】
一方、メカシャッタモードによる露光時間の制御では、電子シャッタによる垂直走査時間に対して速い速度で露光時間の開始と終了とをそれぞれ機械的に制御することにより、上述した画像の歪みの発生を抑制することができる。
【００６６】
続いて、図６を参照して、メカシャッタ１０１による露光時間の制御について説明する。図６は、メカシャッタモードによる露光動作の概要を説明する図であり、縦軸が画素領域２０の垂直方向の位置、横軸が時間ｔ（露光タイミング）である。
【００６７】
蓄積開始（シャッタ）タイミング５２と読み出しタイミング５３との間の時間において各画素は受光した光束を蓄積する。しかし、蓄積開始（シャッタ）タイミング５２からメカシャッタ開タイミング５４（メカシャッタを開くタイミング）までの時間、及びメカシャッタ閉タイミング５５（メカシャッタを閉じるタイミング）から読み出しタイミング５３までの時間（図６に示すハッチングの部分）は、メカシャッタ１０１により撮像素子１０３に対する光束が遮断されているため、各画素に被写体光が蓄積されない。
【００６８】
すなわち、メカシャッタ開タイミング５４からメカシャッタ閉タイミング５５までのメカシャッタ１０１を開放している時間が露光時間となる。そのため、メカシャッタ１０１の動作が速ければ、電子シャッタ動作の場合に生じることがある画像の歪みは発生しない。
【００６９】
このように、メカシャッタモードでは、電子シャッタモードで生じることがある画像の歪みを抑制することができるという利点がある。その反面、メカシャッタモードでは、メカシャッタ１０１を機械的に速い速度で動作させるための電力を必要とする。この電力により、撮像装置３００が備えている電池（電池部１０７に収納されている電池）の消耗を早めてしまうという問題がある。
【００７０】
一方、前述した電子シャッタモードでは、被写体の動きによって、画像の歪みが生じることがあるという問題がある反面、メカシャッタ１０１を機械的に動作させる必要がないため、電力を低く抑えることができるとい利点がある。
【００７１】
以上説明したように、電子シャッタモードとメカシャッタモードとにはそれぞれ相反する利点と欠点とがある。そのため、本実施形態の撮像装置３００は、被写体の動きに基づいて、電子シャッタモードとメカシャッタモードとのうちの何れか適したモードを選択する処理を実行する。
【００７２】
（シャッタモード選択処理の動作の説明）
次に、撮像装置３００が電子シャッタモード及びメカシャッタモードの何れかを選択するシャッタモード選択処理の動作を説明する。
【００７３】
このシャッタモード選択処理は、撮像装置３００において、例えば、シャッタモードとして「電子シャッタモード及びメカシャッタモードの何れかを自動選択」が選択された場合の動作、すなわち、シャッタモードが、ユーザによる指定ではなく撮像装置３００の制御によって選択される動作おいて実行される。また、この処理は、撮影処理における露光開始前（例えば、シャッタ釦が押下される前、又はシャッタ釦が押下された直後の露光開始前）の撮影スタンバイ状態において、撮像素子１０３を介してスルー画像を取得しているときに実行される処理である。
【００７４】
図７は、第１実施形態によるシャッタモード選択処理の一例を示すフローチャートである。この図に示す撮像装置３００は、撮像素子１０３を介して取得したスルー画像から被写体の動きを検出して、検出した被写体の動きに基づいて、シャッタモードを選択する。以下、図７を参照して、このシャッタモード選択処理の動作を説明する。
【００７５】
まず、Ａ／Ｄ変換部１１１は、撮像素子１０３から供給されたアナログの画像信号（撮像素子１０３の出力画像信号、スルー画象の画像信号）を、デジタルの画像信号に変換し、変換した画像信号を被写体検出部１１２に供給する（ステップＳ１１）。
【００７６】
次に、被写体検出部１１２は、Ａ／Ｄ変換部１１１から供給された画像信号から、被写体（例えば主要被写体）の画像を検出する（ステップＳ１２）。
【００７７】
続いて、動き検出部１１３は、撮像素子１０３を介して撮影されたスルー画像のうちのそれぞれのフレーム画像から、被写体検出部１１２により検出された主要被写体の画像に含まれる特徴点を抽出する。そして、動き検出部１１３は、抽出した特徴点のフレーム間の変位に基づいて、被写体の動きベクトル（動き）を検出する。そして、動き検出部１１３は、検出した主要被写体の動きベクトルに基づいて、被写体が横方向（水平方向）に動いているか否か（横方向の動きがあるか否か）を判定する（ステップＳ１３）。
【００７８】
ステップＳ１３において、主要被写体が横方向に動いている（横方向の動きがある）と判定された場合、シャッタモード選択部１１４は、メカシャッタモードを選択する（ステップＳ１６）。一方、ステップＳ１３において、主要被写体が横方向に動いていない（横方向の動きがない）と判定された場合、シャッタモード選択部１１４は、電子シャッタモードを選択する（ステップＳ１７）。
【００７９】
このように、処理部１１０は、スルー画像から検出した被写体の動きに基づいて、シャッタモードを選択して、このシャッタモード選択処理を終了する。
【００８０】
これにより、撮像装置３００は、撮影する被写体（例えば、主要被写体）に動きがある場合（例えば速い速度で横方向に動いている場合）には、メカシャッタモードを選択するため、撮影した画像に含まれる主要被写体の画像に歪みが生じることを抑制することができる。
【００８１】
また、撮像装置３００は、撮影する被写体（例えば、主要被写体）に動きがない場合には、上述の画像の歪みが発生しないため、電子シャッタモードを選択することができる。すなわち、撮像装置３００は、撮影する被写体（例えば、主要被写体）に動きがない場合には、電子シャッタモードを選択することによりメカシャッタ１０１を動作させる必要がないため、消費電力を低減することができる。
【００８２】
よって、撮像装置３００は、被写体の動きに基づいて、電子シャッタモード及びメカシャッタモードのうちの何れかを適切に選択することができる。すなわち、撮像装置３００は、電子シャッタとメカシャッタ１０１との何れかを適切に選択して露光時間を制御することができる。
【００８３】
＜第２実施形態＞
第２実施形態は、第１実施形態のシャッタモード選択処理に対して、シャッタ速度による判定を加えた処理である。
【００８４】
例えば、シャッタ速度が遅い場合（長秒時）には、たとえ撮影する被写体が横方向に動いていたとしても像ぶれの影響が大きいため、電子シャッタ動作による画像の歪みの影響が像ぶれの影響に対して小さくなり、画像の歪みが目立たなくなる。このような場合、第２実施形態の撮像装置３００は、シャッタ速度の速さ（長短）に基づいて、メカシャッタモードの使用頻度を抑制する。
【００８５】
第２実施形態の撮像装置３００は、図１、２に示す構成と同様である。シャッタモード選択部１１４は、被写体を撮像する際のシャッタ速度（露光時間の長さ）に基づいて、電子シャッタモード及びメカシャッタモードの何れかを選択する。具体的には、シャッタモード選択部１１４は、動き検出部１１３の検出結果と、撮影条件設定部１１５が決定したシャッタ速度とに基づいて、電子シャッタモード及びメカシャッタモードの何れかを選択する。
【００８６】
例えば、シャッタモード選択部１１４は、動き検出部１１３の検出結果に基づいて、電子シャッタモードを選択した場合、シャッタ速度の判定を行わず電子シャッタモードを選択する。
【００８７】
一方、シャッタモード選択部１１４は、動き検出部１１３の検出結果に基づいてメカシャッタモードを選択した場合、さらにシャッタ速度に基づいて、電子シャッタモード及びメカシャッタモードの何れかを選択する。
【００８８】
具体的には、例えば、シャッタモード選択部１１４は、被写体の動きが停止していない場合（例えば横方向に動いている場合）であっても、被写体を撮像する際のシャッタ速度（露光時間の長さ）が第２の閾値より長い場合、電子シャッタモードを選択する。
【００８９】
ここで、第２の閾値とは、例えば、電子シャッタによる画像の歪みの影響が目立たない程に、像ぶれの影響が生じる可能性が高いとされるシャッタ速度の閾値として、予め設定された値である。なお、この第２の閾値は、１つの閾値（例えば１／６０秒）、焦点距離に応じて焦点距離の値の逆数に基づく値、被写体の動きの速さ（動きベクトルの大きさ、単位時間あたりの変位量）と焦点距離の値の逆数とに基づく値、等に基いて設定されてもよい。また、この第２の閾値は、さらに、撮像装置３００自体のぶれ量や防振機能の有無、等に基づいて設定されてもよい。
【００９０】
図８は、第２実施形態によるシャッタモード選択処理の一例を示すフローチャートである。図８に示す処理は、図７に示す処理に対してステップＳ１４の処理が追加されていることが異なる。なお、図８において、図７の各処理に対応する処理には同一の符号をつけており、その説明を省略する。
【００９１】
ステップＳ１３において、主要被写体が横方向に動いている（横方向の動きがある）と判定された場合、シャッタモード選択部１１４は、撮影条件設定部１１５が出力した設定信号に基づいてシャッタ速度を示す情報を取得する。そして、シャッタモード選択部１１４は、取得したシャッタ速度を示す情報に基づいて、シャッタ速度が第２の閾値以下（短秒時）であるか否かを判定する（ステップＳ１４）。
【００９２】
ステップＳ１４において、シャッタ速度が第２の閾値以下であると判定された場合、シャッタモード選択部１１４は、メカシャッタモードを選択する（ステップＳ１６）。一方、ステップＳ１４において、シャッタ速度が第２の閾値より遅い（長秒時）と判定された場合、シャッタモード選択部１１４は、電子シャッタモードを選択する（ステップＳ１７）。
【００９３】
このように、撮像装置３００は、被写体を撮像する際のシャッタ速度（露光時間の長さ）に基づいて、電子シャッタモード及びメカシャッタモードの何れかを選択する。例えば、シャッタモード選択部１１４は、被写体の動きが停止していない場合（例えば速い速度で横方向に動いている場合）であっても、被写体を撮像する際のシャッタ速度（露光時間の長さ）が第２の閾値より長い場合には、電子シャッタモードを選択する。
【００９４】
これにより、撮像装置３００は、撮影する被写体（例えば、主要被写体）に動きがある場合（例えば速い速度で横方向に動いている場合）であっても、被写体を撮像する際のシャッタ速度（露光時間の長さ）が長い場合（像ぶれが発生しやすいシャッタ速度の場合）には、メカシャッタ１０１の動作機会を減らして消費電力を低減することができる。
【００９５】
また、撮像装置３００は、撮影する被写体（例えば、主要被写体）に動きがある場合（例えば速い速度で横方向に動いている場合）、且つ被写体を撮像する際のシャッタ速度（露光時間の長さ）が短い場合（像ぶれがほとんど発生しないシャッタ速度の場合）には、メカシャッタモードを選択するため、撮影した画像に含まれる主要被写体の画像に歪みが生じることを抑制することができる。
【００９６】
＜第３実施形態＞
第３実施形態は、第１実施形態又は第２実施形態のシャッタモード選択処理に対して、電池の残容量による判定を加えた処理である。
【００９７】
例えば、電池残量が少ない場合には、たとえ撮影した画像に歪みが発生したとしても、電池の容量が足りなくなって撮影できなくなるよりは、撮影できた方がよい場合がある。このような場合、第３実施形態の撮像装置３００は、電池残容量に基づいて、メカシャッタモードの使用を制限する。
【００９８】
第３実施形態の撮像装置３００は、図１、２に示す構成と同様である。シャッタモード選択部１１４は、電池部１０７の電池の残容量に基づいて、電子シャッタモード及びメカシャッタモードの何れかを選択する。具体的には、シャッタモード選択部１１４は、電池残量検出部１１８が検出した電池部１０７の電池の残容量に基づいて、電子シャッタモード及びメカシャッタモードの何れかを選択する。
【００９９】
例えば、シャッタモード選択部１１４は、被写体の動きが停止していない場合（例えば横方向に動いている場合）であっても、電池部１０７の電池の残容量が第３の閾値より少ない場合、電子シャッタモードを選択する。
【０１００】
ここで、第３の閾値とは、例えば、撮影動作を実行可能な回数が僅かしかない電池の残容量（例えば、満充電の電池で撮影可能な回数に対して１０％の回数しかない容量）の閾値、又はメカシャッタモードでの撮影動作が実行不可能であって電子シャッタモードでの撮影動作であれば実行可能である電池の残容量の閾値として、予め設定された値である。
【０１０１】
図９は、第３実施形態によるシャッタモード選択処理の一例を示すフローチャートである。図９に示す処理は、図７に示す処理に対してステップＳ１５の処理が追加されていることが異なる。なお、図９において、図７の各処理に対応する処理には同一の符号をつけており、その説明を省略する。
【０１０２】
ステップＳ１３において、主要被写体が横方向に動いている（横方向の動きがある）と判定された場合、シャッタモード選択部１１４は、電池残量検出部１１８が検出した電池部１０７の電池の残容量を示す情報を取得する。そして、シャッタモード選択部１１４は、取得した電池の残容量を示す情報に基づいて、電池の残容量が第３の閾値以下であるか否か（電池残量に余裕があるか否か）を判定する（ステップＳ１５）。
【０１０３】
ステップＳ１５において、電池の残容量が第３の閾値より多い（電池残量に余裕がある）と判定された場合、シャッタモード選択部１１４は、メカシャッタモードを選択する（ステップＳ１６）。一方、ステップＳ１５において、電池の残容量が第３の閾値以下である（電池残量に余裕がない）と判定された場合、シャッタモード選択部１１４は、電子シャッタモードを選択する（ステップＳ１７）。
【０１０４】
このように、撮像装置３００は、電池部１０７の電池の残容量に基づいて、電子シャッタモード及びメカシャッタモードの何れかを選択する。例えば、撮像装置３００は、被写体の動きが停止していない場合（例えば速い速度で横方向に動いている場合）であっても、電池部１０７の電池の残容量が第３の閾値より少ない場合には、電子シャッタモードを選択する。
【０１０５】
これにより、撮像装置３００は、撮影する被写体（例えば、主要被写体）に動きがある場合（例えば速い速度で横方向に動いている場合）であっても、電池の残容量が少ない場合には、メカシャッタ１０１の動作機会を減らして消費電力を低減することができる。
【０１０６】
なお、シャッタモード選択部１１４は、被写体の動きが停止していない場合（例えば速い速度で横方向に動いている場合）であって、且つシャッタ速度が第２の閾値以下であったとしても、電池部１０７の電池の残容量が第３の閾値より少ない場合には、電子シャッタモードを選択してもよい。すなわち、図８に示す処理に、ステップＳ１５の処理を加えた処理としてもよい。
【０１０７】
図１０は、第３実施形態によるシャッタモード選択処理の別の一例を示すフローチャートであって、この図１０に示す処理は、図８に示す処理に対してステップＳ１５の処理が追加された処理である。なお、図１０において、図８の各処理に対応する処理には同一の符号をつけており、その説明を省略する。
【０１０８】
ステップＳ１４において、シャッタ速度が第２の閾値以下であると判定された場合、シャッタモード選択部１１４は、電池残量検出部１１８が検出した電池部１０７の電池の残容量を示す情報を取得する。そして、シャッタモード選択部１１４は、取得した電池の残容量を示す情報に基づいて、電池の残容量が第３の閾値以下であるか否か（電池残量に余裕があるか否か）を判定する（ステップＳ１５）。
【０１０９】
ステップＳ１５において、電池の残容量が第３の閾値より多い（電池残量に余裕がある）と判定された場合、シャッタモード選択部１１４は、メカシャッタモードを選択する（ステップＳ１６）。一方、ステップＳ１５において、電池の残容量が第３の閾値以下である（電池残量に余裕がない）と判定された場合、シャッタモード選択部１１４は、電子シャッタモードを選択する（ステップＳ１７）。
【０１１０】
このように、撮像装置３００は、被写体の動きが停止していない場合（例えば速い速度で横方向に動いている場合）であって、且つシャッタ速度が第２の閾値以下である場合であったとしても、電池部１０７の電池の残容量が第３の閾値より少ない場合には、電子シャッタモードを選択する。
【０１１１】
これにより、撮像装置３００は、撮影する被写体（例えば、主要被写体）に動きがある場合（例えば速い速度で横方向に動いている場合）であって、且つシャッタ速度が第２の閾値以下である場合であったとしても、電池の残容量が少ない場合には、メカシャッタ１０１の動作機会を減らして消費電力を低減することができる。
【０１１２】
以上、第１実施形態、第２実施形態、及び第３実施形態を用いて説明してきたように、撮像装置３００は、被写体の動きに基づいて、電子シャッタモード及びメカシャッタモードのうちの何れかを適切に選択することができる。すなわち、撮像装置３００は、電子シャッタとメカシャッタ１０１との何れかを適切に選択して露光時間を制御することができる。
【０１１３】
なお、上記実施形態において、主要被写体が主に人物である例を説明したが、主要被写体は人物に限られるものではない。例えば、主要被写体は、人物に限られない生物、又は乗り物等であってもよい。また、被写体検出部１１２は、撮影画角内の中心に位置する被写体や撮影画角内の大半の領域を占める被写体等を主要被写体として検出してもよいし、ユーザに指定された被写体を主要被写体として検出してもよい。
【０１１４】
また、上記実施形態では、撮像素子１０３が、ＣＭＯＳセンサを含む構成を例として説明したが、これに限られるものではなく、画素ライン毎の露光タイミングが垂直方向に順次時間的にずれる電子シャッタ方式の撮像素子であれば、ＣＭＯＳセンサを含む構成以外の撮像素子であってもよい。
【０１１５】
また、上記実施形態では、撮像装置３００が、レンズ交換式の撮像装置である構成を例にして説明したが、レンズが一体化された構成の撮像装置であってもよい。
【０１１６】
また、上記実施形態では、撮像装置３００が、スルー画像から被写体の特徴点を検出して、検出した特徴点の動きベクトルを検出することにより、被写体の動き（例えば、動きが停止しているか否か、動いているか否か）を検出する処理を説明したが、これに限られるものではない。例えば、撮像装置３００は、スルー画像においてモーションキャプチャ処理を行うことにより被写体の動きを検出してもよいし、単にスルー画像のフレーム間の画像の所定の領域に被写体があるか否かを検出することにより、被写体の動きを検出してもよい。また、撮像装置３００は、画像から被写体の動きを検出する処理に代えて、超音波型の動き検出センサ、磁気センサ、赤外線センサ等を用いて被写体の動きを検出する処理としてもよい。
【０１１７】
なお、上述の処理部１１０は専用のハードウェアにより実現されるものであってもよく、また、メモリ及びＣＰＵ（中央演算装置）により構成され、上述の処理部１１０の機能を実現するためのプログラムをメモリにロードして実行することによりその機能を実現させるものであってもよい。
【０１１８】
また、上述の処理部１１０の機能を実現するためのプログラムをコンピュータ読み取り可能な記録媒体に記録して、この記録媒体に記録されたプログラムをコンピュータシステムに読み込ませ、実行することにより上述の処理部１１０の処理を行ってもよい。なお、ここでいう「コンピュータシステム」とは、ＯＳや周辺機器等のハードウェアを含むものとする。
【０１１９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１２０】
以上、この発明の実施形態を図面を参照して詳述してきたが、具体的な構成はこの実施形態に限られるものではなく、この発明の要旨を逸脱しない範囲の設計等も含まれる。
【符号の説明】
【０１２１】
１０１  撮像素子１０３  メカシャッタ、１０７  電池部、１１２  被写体検出部、１１３  動き検出部、１１４  シャッタモード選択部（選択部）、３００  撮像装置
【図１】
2013179488.tif 000003
【図２】
2013179488.tif 000004
【図３】
2013179488.tif 000005
【図４】
2013179488.tif 000006
【図５】
2013179488.tif 000007
【図６】
2013179488.tif 000008
【図７】
2013179488.tif 000009
【図８】
2013179488.tif 000010
【図９】
2013179488.tif 000011
【図１０】
2013179488.tif 000012